(57)【特許請求の範囲】
【請求項１】
衛星と互いに時刻が同期状態にある複数の地球局から構成され、前記複数の地球局のうち衛星と回線接続中にある先発地球局から、次に衛星と回線接続を行う次発地球局に切り替えて接続する衛星通信システムのマルチアクセス切替方法において、
前記先発地球局から送信した伝搬時間測定信号が衛星から折り返えされるまでの時間を測定することで衛星と自局間の第１の信号伝搬時間を得る第１のステップと、
前記先発地球局は、前記第１の信号伝搬時間に当該伝搬時間を放送波に重畳する時刻から放送を停止するまでの予め設定した所定時間を加算して得た放送停止時間と、前記重畳時刻とからなる切替情報を前記次発地球局へ向けて送信し、前記重畳時刻から前記所定時間経過後に先発地球局からの放送を停止する第２のステップと、
前記次発地球局では、前記切替情報の受信時刻から前記重畳時刻を減算することで第２の信号伝搬時間を算出し、前記切替情報の受信時から、前記放送停止時間から前記第２の信号伝搬時間を２倍した時間を減算することで得られた時間の経過後に次発地球局の放送を開始する第３のステップからなることを特徴とするマルチアクセス切替方法。
【請求項２】
衛星と互いに同期状態が確率された複数の地球局から構成され、前記複数の地球局のうち衛星と回線接続中にある先発地球局から、次に衛星と回線接続を行う次発地球局に切り替えて接続するマルチアクセス切替システムにおいて、
前記先発地球局は、衛星へ送信した伝搬時間測定信号の折り返し信号を受信することで衛星と先発地球局間における第１の信号伝搬時間を測定する信号伝搬測定手段と、前記第１の信号伝搬時間に当該伝搬時間を放送波に重畳する時刻から放送を停止するまでの予め設定した所定時間を加算することで放送停止時間を算出する第１の演算手段と、前記演算手段から受けた前記放送停止時間と前記重畳時刻とからなる切替情報を放送波に重畳する重畳手段と、前記切替情報が放送波に重畳された時刻から前記所定時間経過後に先発地球局からの放送の停止制御を行う第１の遅延手段とを具備し、
前記次発地球局は、衛星から受信した放送波に含まれる前記切替情報を抽出する切替情報抽出手段と、前記切替情報の受信時刻から前記重畳時刻を減算することで第２の信号伝搬時間を算出し、前記放送停止時間から前記第２の信号伝搬時間を２倍して得た時間を減算することで放送開始時間を算出する第２の演算手段と、前記切替情報の受信時刻から前記放送開始時間の経過後に次発地球局からの放送の開始制御を行う第２の遅延手段とを具備することを特徴とするマルチアクセス切替システム。
【発明の詳細な説明】
【０００１】
【発明の属する技術分野】
本発明は、衛星通信及び衛星放送の送信局切替方式（マルチアクセス切替方式）に関し、特に無瞬断で送信局の切替えを行う技術に関する。
【０００２】
【従来の技術】
衛星放送では、放送波は地球局から衛星へ送られ、衛星より広範囲に点在する一般視聴局へ配信される。番組の切替えは、送信地球局を切り替えることにより実行される。衛星放送の場合、地方で制作された番組は、他の伝送路を用いて中央の放送用地球局に送り、この地球局より衛星へ放送波を送出することは不要であり、地方の局より、直ちに衛星へ放送波を送信することが可能である。
【０００３】
この切替を一般視聴者には違和感を与えぬように実行するには、衛星上にて信号の重なりや切れ間が生じないように地球局間の送信ＯＮ／ＯＦＦ時間を制御する必要がある。
【０００４】
図４に、従来のマルチアクセス切替方式の系統を示す。かかるマルチアクセス切替方式においては、システムに応じてＮ局で構成される地球局を順次切り替えることで、衛星とのマルチアクセスを行っているが、ここでは、説明を簡略化するため、先発地球局と次発地球局で構成される二局の地球局を例に説明する。
【０００５】
先発地球局とは、放送波を送信中の局であり、放送波を衛星へ指向させるためのアンテナ１と、放送信号を変調・周波数変換及び増幅した後にアンテナ１へ導く送信機２と、アンテナ１にて集束した衛星からの放送波を低雑音増幅し、周波数変換及び復調する受信機３と、衛星上にて信号の重なりや切れ間が生じないように送信ＯＦＦ時間を制御するマルチアクセス装置４と、放送信号を送出する放送設備５とから構成される。また、マルチアクセス装置４は、マルチアクセス切替のためのタイミング信号（以下、Ｑｃ信号という。）を生成するＱｃ信号発生器１１と、Ｑｃ信号重畳から送信ＯＦＦまでの時間を制御する遅延時間タイマー１２、及びＱｃ信号を放送信号に重畳するＱｃ信号重畳器１３から構成される。
【０００６】
一方、次発地球局は、放送波を衛星へ指向させるためのアンテナ５１と、放送信号を変調、周波数変換及び増幅した後にアンテナ５１へ導く送信機５２と、アンテナ５１にて集束した衛星からの放送波を低雑音増幅し周波数変換および復調する受信機５３と、衛星上にて信号の重なりや切れ間が生じないように送信ＯＮ時間を制御するマルチアクセス装置５４、および放送信号を送出する放送設備５５より構成される。また、マルチアクセス装置５４は、受信した放送信号を分配する分配器６１、放送信号からＱｃ信号を検出するＱｃ検出器６２およびＱｃ受信からＴｘ  ＯＮまでの時間を制御する遅延時間タイマー６３から構成される。
【０００７】
かかるマルチアクセス切替方式を適用する複数の地球局は、各々がＴＤＭＡの送信タイミングに応じて先発地球局と次発地球局の役割を果たすので装置構成上の差異を設ける必要はないのであるが、本実施の形態においては、送信中にある先発地球局から送信待機中の次発地球局に放送を切り替える場合の説明を容易にするため、ある放送タイミングにおいて先発地球局および次発地球局に必要とされる最低限の構成要素のみを示した。
【０００８】
次に、図５に示すタイムチャートを参照しながら、図４に示すマルチアクセス切替方式の動作を説明する。図４に示すタイムチャートは、先発地球局の送信を中止し、待機中の次発地球局に送信を切替える場合である。
【０００９】
衛星上にて、送信信号の重なりや切れ間がなくなるように切替を行うためには、先発地球局のＱｃ信号重畳から衛星上にて先発地球局の送信信号が切れる時間と、先発地球局のＱｃ信号重畳から次発地球局の送信信号が衛星へ到達する時間とが一致する必要がある。
【００１０】
具体的には、先発地球局におけるＱｃ信号の重畳時刻を基準とし、下記の関係式を満たす必要がある。ここで、Ｔｓとは、先発地球局から衛星までの信号の伝搬時間であり、先発地球局がＱｃ信号を重畳し、Ｑｃ信号が衛星へ到達するまでの時間をさす。また、Ｄｓは、先発地球局のＱｃ信号重畳から送信機２を停止（ＴＸ  ＯＦＦ）するまでの時間である。Ｔｒは、次発地球局から衛星までの信号の伝搬時間であり、次発地球局が衛星からのＱｃ信号を受信するまでの時間をさす。Ｄｒは、次発地球局がＱｃ信号を受信し送信機５２から送信を開始（ＴＸ  ＯＮ）するまでの時間である。
【００１１】
【数１】
Ｄｓ＋Ｔｓ＝Ｔｓ＋Ｔｒ＋Ｄｒ＋Ｔｒ
Ｄｓ＝２Ｔｒ＋Ｄｒ
すなわち、先発地球局のＱｃ信号重畳から衛星上にて先発地球局の送信信号が切れる時間と、先発地球局のＱｃ信号重畳から次発地球局の送信信号が衛星へ到達する時間とが一致するように、先発地球局のＱｃ信号の重畳から先発地球局の送信をＯＦＦにするまでの時間（Ｄｓ）と次発地球局がＱｃ信号を受信し次発地球局が送信を開始するまでの時間（Ｄｒ）を設定する必要がある。
【００１２】
送信局の切替を行う際には、上記の関係式を満たすことを前提とし、先発地球局では、Ｑｃ信号発生器１１よりＱｃ信号を生成し、Ｑｃ信号重畳器１３によりＱｃ信号が放送信号に重畳した後、遅延時間タイマー１２によりＤｓ時間の経過後に送信機２を停止する。次発地球局では、先発地球局が衛星経由で送信したＱｃ信号を、Ｑｃ検出器６２にてＱｃ信号を重畳した時刻からＴｓ＋Ｔｒ時間後に検出し、遅延時間タイマー６３にてＤｒ時間の経過後に送信機５２の送信を開始する。
【００１３】
【発明が解決しようとする課題】
しかしながら、上述における衛星から地球局（先発地球局及び次発地球局）間の信号の伝搬時間は衛星の軌道により変化するため、正確な時間を把握する事が困難であった。その結果、信号の重なりや切れ間が生じ画像が一瞬乱れていた。特にスクランブル放送では、受信画像を再生する上で連続したデータの受信が必要不可欠であり、当該データの重なりや切れ間の発生により再生ができず受信画像に数秒の乱れが生じる問題が指摘されている。
【００１４】
そこで、本発明においては、衛星と地球局間における信号伝搬時間が変化した場合であっても、無瞬断で地球局間の切り替えを可能とするマルチアクセス切り替え方式の提供を目的とする。
【００１５】
【課題を解決するための手段】
本発明によると、衛星と互いに時刻が同期状態にある複数の地球局から構成され、前記複数の地球局のうち衛星と回線接続中にある先発地球局から、次に衛星と回線接続を行う次発地球局に切り替えて接続する衛星通信システムのマルチアクセス切替方法において、  前記先発地球局から送信した伝搬時間測定信号が衛星から折り返えされるまでの時間を測定することで衛星と自局間の第１の信号伝搬時間を得る第１のステップと、前記先発地球局は、前記第１の信号伝搬時間に当該伝搬時間を放送波に重畳する時刻から放送を停止するまでの予め設定した所定時間を加算して得た放送停止時間と、前記重畳時刻とからなる切替情報を前記次発地球局へ向けて送信し、前記重畳時刻から前記所定時間経過後に先発地球局からの放送を停止する第２のステップと、前記次発地球局では、前記切替情報の受信時刻から前記重畳時刻を減算することで第２の信号伝搬時間を算出し、前記切替情報の受信時から、前記放送停止時間から前記第２の信号伝搬時間を２倍した時間を減算することで得られた時間の経過後に次発地球局の放送を開始する第３のステップからなることを特徴とするマルチアクセス切替方法を得ることができる。
【００１６】
また、衛星と互いに同期状態が確率された複数の地球局から構成され、前記複数の地球局のうち衛星と回線接続中にある先発地球局から、次に衛星と回線接続を行う次発地球局に切り替えて接続するマルチアクセス切替システムにおいて、前記先発地球局は、衛星へ送信した伝搬時間測定信号の折り返し信号を受信することで衛星と先発地球局間における第１の信号伝搬時間を測定する信号伝搬測定手段と、前記第１の信号伝搬時間に当該伝搬時間を放送波に重畳する時刻から放送を停止するまでの予め設定した所定時間を加算することで放送停止時間を算出する第１の演算手段と、前記演算手段から受けた前記放送停止時間と前記重畳時刻とからなる切替情報を放送波に重畳する重畳手段と、前記切替情報が放送波に重畳された時刻から前記所定時間経過後に先発地球局からの放送の停止制御を行う第１の遅延手段とを具備し、前記次発地球局は、衛星から受信した放送波に含まれる前記切替情報を抽出する切替情報抽出手段と、前記切替情報の受信時刻から前記重畳時刻を減算することで第２の信号伝搬時間を算出し、前記放送停止時間から前記第２の信号伝搬時間を２倍して得た時間を減算することで放送開始時間を算出する第２の演算手段と、前記切替情報の受信時刻から前記放送開始時間の経過後に次発地球局からの放送の開始制御を行う第２の遅延手段とを具備することを特徴とするマルチアクセス切替システムをも得ることができる。
【００１７】
更に、有線回線または無線回線にて接続された通信装置間における時刻校正システムにおいて、一方を送信側装置とし、他方を受信側装置とし、前記送信側装置は、基準時刻信号を発生する基準時刻信号発生手段と、前記基準時刻発生手段から出力された基準時刻信号Ｔｍを前記受信側装置へ出力する時刻信号分配器と、前記受信側装置から折り返された基準時刻信号Ｔｍを検出し当該Ｔｍを受信した時点に前記基準時刻信号発生手段から出力された基準時刻Ｔｍαから前記Ｔｍを減算した時刻差を２で除算し時刻補正値を得る時刻差検出器と、前記Ｔｍαから前記補正値を減算して得た時刻信号を送信側装置内の時刻信号とする時刻校正手段とを具備し、前記受信側装置は、前記先発地球局から出力された前記Ｔｍの検出及び前記先発地球局へ向けて当該Ｔｍを折り返す時刻信号分配／折り返し器と、前記Ｔｍを基準に受信側装置内の時刻信号を計数する時刻信号発生器とを具備することを特徴とする時刻校正システムをも得ることができる。
【００１８】
【発明の実施の形態】
図１に、本発明のマルチアクセスの切替方式の系統を示す。
【００１９】
先発地球局は、放送波を衛星へ指向させるためのアンテナ１と、放送信号を変調、周波数変換および増幅した後にアンテナ１へ導く送信機２と、アンテナ１にて集束した衛星からの放送波を低雑音増幅し、周波数変換及び復調する受信機３と、衛星上にて信号の重なりや切れ間が生じないように送信を停止する時間を制御するマルチアクセス装置４と、放送信号を送出する放送設備５と、次発地球局に送る情報の演算処理を行う演算処理装置６と、時刻信号を発生する時刻信号発生器７とから構成される。また、マルチアクセス装置４は、先発地球局から衛星までの信号伝搬時間（以下、Ｔｓという。）を測定するための信号（以下、Ｑｐ（パイロット信号）という。）を生成するパイロット信号発生器１５と、Ｑｃ信号を放送信号に重畳してから送信機の出力を停止するまでの時間を制御する遅延時間タイマー１２と、Ｑｐ信号及び前記演算処理装置６で演算された情報等を放送信号に重畳する重畳器１３と、衛星から折り返されたＱｐ信号を検出するＱｐ信号検出器１６から構成される。
【００２０】
一方、次発地球局は、放送波を衛星へ指向させるためのアンテナ５１と、放送信号を変調、周波数変換および増幅した後にアンテナ５１へ導く送信機５２と、アンテナ５１にて集束した衛星からの放送波を低雑音増幅し、周波数変換及び復調する受信機５３と、衛星上にて信号の重なりや切れ間が生じないように送信ＯＮ時間を制御するマルチアクセス装置５４と、放送信号を送出する放送設備５５と、先発地球局から送られてきた情報（以下、Ｄａｔａ信号という。）から送信ＯＮ時間を算出する演算処理装置５６と、Ｄａｔａ信号の検出時刻を得るための時刻信号を生成する時刻信号発生器５７とから構成される。また、マルチアクセス装置５４は、受信した放送信号を分配する分配器６１と、先発地球局から送られてきたＤａｔａを抽出するＤａｔａ抽出器６４と、Ｄａｔａ信号の受信から送信を開始するまでの時間（以下、Ｄｒという。）を制御する遅延時間タイマー６３とから構成される。
【００２１】
図２に、本発明の実施の形態に係るマルチアクセス切替方式のタイムチャートを示す。以下、タイムチャートを参照しながら図１の動作について説明する。本発明の実施の形態は、３つのステップに大別する事ができ、ステップ１及び２は先発地球局における処理であり、ステップ３は次発地球局の処理である。
【００２２】
概略的には、ステップ１では、先発地球局と衛星間における信号伝搬時間の測定を行い、ステップ２では、ステップ１で測定した信号伝搬時間に当該伝搬時間を放送波に重畳する時刻から放送を停止するまでの予め設定した所定時間を加算して得た放送停止時間と、前記重畳時刻とからなる切替情報を次発地球局へ送信し、所定時間経過後（Ｄｓ）に先発地球局からの送信をＯＦＦにする処理を行う。また、ステップ３では、次発地球局において、先発地球局が送信したマルチアクセス切替に必要な情報を基に送信開始時刻を算出し送信を開始する処理を行う。
【００２３】
最初にステップ１について説明する。先発地球局は、パイロット信号発生器１５から発生された伝搬時間測定信号（以下、Ｑｐ信号という。）を、重畳器１３により放送波に重畳し、送信機２により放送信号を変調、周波数変換及び増幅した後にアンテナ１へ導く。パイロット信号発生器１５では、Ｑｐ信号を発生する際、演算処理装置６へＱｐ信号を放送波に重畳した旨を知らせる信号（以下、Ｑｐ  ＯＮ信号という。）を送出する。演算処理装置６には、基準信号発生器７が出力する時刻信号が入力されており、Ｑｐ  ＯＮ信号の受信時における時刻（以下、ＴＰ１という。）を記録する。
【００２４】
Ｑｐ信号が重畳された放送波は衛星へ到達し、衛星にて周波数変換・増幅された後、広範囲に放射（放送）される。先発地球局は、アンテナ１にて衛星からの放送波を集束し、受信機３にて低雑音増幅・周波数変換および復調を行う。そして、Ｑｐ信号検出器１６は復調された放送波よりＱｐ信号を検出すると演算処理装置６へ検出した旨を知らせる信号（以下、Ｑｐ  Ｄｅｔ信号という。）を送出し、演算処理装置６は、Ｑｐ  Ｄｅｔ信号の受信時における時刻（以下、ＴＰ２という。）を記録する。
【００２５】
演算処理装置６は、ＴＰ１時刻とＴＰ２時刻との時刻差よりＤｐ時間（ＴＰ２−ＴＰ１＝２Ｔｓ）を算出し、先発地球局と衛星間における信号伝搬時間の測定を完了する。
【００２６】
次に、ステップ２について説明する。先発地球局から次発地球局へ向けて送信される切替情報（以下、Ｄａｔａ信号）は、演算処理装置６にて生成され、ステップ１にて測定したＤｐと送信機を停止するまでの時間Ｄｓを加算した値（Ｄｐ＋Ｄｓ）と、当該加算値を放送波へ重畳する時刻（以下、Ｔ１という。）からなる。本実施の形態では、先発地球局における送信停止時間を予め固定し、次発地球局側において、送信開始時間を演算調整することで瞬断のないマルチアクセス切替を行っている。そのため、先発地球局が予め宣言したＤｓ時間を次発地球局へ送信している。
演算処理装置６から出力されたＤａｔａ信号（Ｄｐ＋Ｄｐ，Ｔ１）は、重畳器１３で放送波に重畳され、送信機２に出力され、アンテナ１から衛星に放射される。また、演算処理装置６では、Ｄａｔａ信号を発生する際、Ｄｓ遅延時間タイマーにＤａｔａ信号を放送波に重畳した旨を知らせる信号（以下、Ｄａｔａ  ＩＮ信号という）を送出する。そして、遅延時間タイマー１２は、Ｄａｔａ  ＩＮ信号を受信し，設定されたＤｓ時間の経過後にＴＸ  ＯＦＦ信号を送信機２へ送出し、送信機２は、送信信号を断にする。
【００２７】
最後にステップ３について説明する。先発地球局のアンテナ１より出力されたＤａｔａ信号（Ｄｓ＋Ｄｐ，Ｔ１）が重畳された放送波は、衛星へ到達し、衛星にて周波数変換・増幅され広範囲に放射（放送）される。次発地球局のアンテナ５１にて衛星からの放送波を集束し、受信機５３にて低雑音増幅・周波数変換および復調する。復調後、分配器にて分配された放送波の一部はＤａｔａ抽出器６４に入力される。
【００２８】
Ｄａｔａ抽出器６４において検出されたＤａｔａ信号は、演算処理装置５６に引き渡すとともに、検出した旨をＤｒ遅延時間タイマーに出力する。
【００２９】
演算処理装置５６には、時刻信号発生器５７が出力する時刻信号が入力されており、Ｄａｔａ信号の受信時における時刻（以下、Ｔ２という。）を記録する。そして、Ｔ２時刻とＤａｔａ信号により、Ｄｒ時間を算出し遅延時間タイマー６３へ出力する。Ｄｒ時間は、以下に示す演算により求められる。
【００３０】
【数２】
0003554883.tif 000002
すなわち、次発地球局においてＤｒ時間を算出するに際して、先発地球局からのデータ信号（Ｄｓ＋Ｄｐ，Ｔ１）と当該情報の受信時刻のみで遅延時間Ｄｒを求めることができるので、演算処理も極めて簡易である。
【００３１】
Ｄｒ時間を受けたＤｒ遅延時間タイマー６３は、Ｄａｔａ信号の受信後、Ｄｒ時間の経過後にＴＸ  ＯＮ信号を送信機５２へ送出し、送信機５２は、送信信号をＯＮにする。
【００３２】
これにより、衛星と地球局間の距離が変動したとしても、切替に際して衛星と先発地球局間の信号伝搬の遅延時間を補正し、かつ次発地球局において先発地球局から受信した情報を基に衛星と次発地球局間の信号伝搬の遅延時間を考慮して送信開始時刻を定めているため、無瞬断でマルチアクセス切替を行うことができる。
【００３３】
なお、地球局間の時刻の同期に関しては、ＧＰＳ（ｇｌｏｂａｌ  ｐｏｓｉｔｉｏｎｉｎｇ  ｓｙｓｔｅｍ）を利用するなどの手法が考えられるが、独自の手法を創作したので図３にそのマルチアクセス切替用時刻信号の系統を示す。
【００３４】
本発明においては、切り替え精度を左右する基準時刻信号は一つとし、先発地球局より次発地球局へ他の伝送路を用いて時刻信号を送り、基準時刻信号と次発地球局にて折り返された時刻信号とを比較し、時刻信号用伝送路で生じる遅延時間を先発地球局にて補正することにより、先発地球局、次発地球局双方の時刻の一致度を図ることを特徴としている。
【００３５】
まず、構成として先発地球局は、両地球局の時刻信号の基となる基準時刻Ｔｍを発生させる基準時刻信号発生器２１と、基準時刻信号Ｔｍを分配する時刻信号分配器２２と、基準時刻信号Ｔｍと次発地球局より折り返された時刻信号Ｔｍの値を比較し先発地球局で用いる時刻信号の補正値（Ｔｍα−Ｔｍ）／２を算出する時刻差検出器２３と、基準時刻信号Ｔｍαと時刻信号の補正値により時刻信号Ｔｏを出力する時刻信号校正器２４とを備える。
【００３６】
一方、次発地球局は、先発地球局より送出された基準時刻信号Ｔｍを分配し先発地球局へ折り返す時刻信号分配／折り返し器３１にて構成される。
【００３７】
次に、両局における時刻の校正動作について説明する。先発地球局では、基準時刻信号発生器２１から両局において時刻信号の基となる基準時刻信号Ｔｍを生成する。当該基準時刻信号Ｔｍは、時間の経過とともに更新時刻が出力され、出力されたＴｍは時刻信号分配器２２にて分配されて、先発地球局内の時刻差検出器２３に出力されるとともに、次発地球局に向けて送信される。この際、局内の時刻遅延時間については、精度上、全く問題ないので時刻の校正に際して考慮しないものとする。
【００３８】
次発地球局は、先発地球局からＴｍ時刻信号を受信し、時刻信号分配／折り返し器３１にて当該信号を時刻信号発生器５７に出力するとともに先発地球局へ折り返す。時刻信号発生器５７に入力されるＴｍ信号は、受信時における基準時刻発生器２１が出力する時刻信号よりも信号伝搬に要する遅延時間だけ遅延しているが、そのままＴｍを時刻信号発生器５７に出力する。そして、時刻信号発生器５７は、入力されたＴｍを基準に時間を計数する。
【００３９】
一方、先発地球局では、次発地球局から折り返された時刻信号を時刻差検出器２３にて検出する。この時、基準時刻信号発生器２１から出力される時刻は、時間の経過によりＴｍからＴｍαに変化し、時刻差検出器２３及び時刻信号校正器２４に当該時刻を出力する。
【００４０】
時刻差検出器２３では、基準時刻信号発生器２１より出力された基準時刻信号Ｔｍαと次発地球局より折り返された時刻信号Ｔｍの時刻を比較し、（Ｔｍα−Ｔｍ）／２を時刻補正値として時刻信号校正器２４に出力する。
【００４１】
時刻信号校正器２４では、基準時刻信号値Ｔｍαから補正値（Ｔｍα−Ｔｍ）／２を減算した時刻信号Ｔｏを時刻信号発生器７に出力する。以上の動作により、両局における時刻の校正を行うことができる。
【００４２】
次に、具体的な数値を用いて説明する。今、先発地球局の基準信号発生器２１から１０時００分００秒の値を示す基準時刻信号が出力され、時刻信号分配器２２から次発地球局へ出力されたものとする。
【００４３】
次発地球局では、時刻信号分配／折り返し器３１にて基準時刻信号（１０時００分００秒）を抽出し、これを基に時刻信号発生器５７の時刻を校正する。伝送路を経由して受信した基準時刻信号は、伝搬遅延により現実の時刻よりも遅延した時刻を基準に時刻の計数を行うこととなる。ここで、片道伝搬に要する遅延時間が２秒だとする。
【００４４】
次発地球局から折り返された基準時刻信号（１０時００分００秒）を受信した先発地球局は、時刻差検出器２３にて当該時刻を検出する。
【００４５】
時刻差検出器２３は、基準時刻信号（１０時００分００秒）を受信した時点では局間伝搬に要する遅延時間が経過しているので、基準時刻信号発生器２１から出力された１０時００分００秒＋４秒の基準時刻信号との時刻差（４秒）を検出する。そして、先発地球局の時刻校正は、局間の片道伝搬に要する時間を補正すればよいので、４／２秒を時刻補正値として出力する。
【００４６】
時刻信号校正器２４では、１０時００分０４秒から時刻補正値２秒を減算した時刻信号を時刻信号発生器７へ出力し、この時刻を基準に時刻信号発生器７は計数を行う。この時、次発地球局では、基準時刻信号（１０時００分００秒）を受信してから、すでに２秒経過しているため、両局の時刻は１０時００分０２秒で一致していることがわかる。
【００４７】
【発明の効果】
本発明によれば、衛星から地球局間の信号伝搬時間が衛星の軌道により変化した場合であっても、先発地球局と次発地球局は、送信の停止及び開始時刻を正確に算出することができ、そのため信号の重なりや切れ間の生じることのないマルチアクセス切替を行うことができる。従って、従来、問題とされた信号の重なりや切れ間により生ずる再生画像の乱れを防止することができる。
【００４８】
また、本発明では、地球局間のマルチアクセス切替に際して、各局における信号伝搬時間を考慮した切替えを行うため、あらゆる衛星（静止衛星、低軌道衛星等）を用いた時分割通信に適用でき、またチャネル間のガード時間帯を狭くできるため、占有時間帯の有効利用を図ることができる。
【００４９】
更に、本発明では、信号伝搬時間の測定を先発地球局においてのみ行うため、極めて簡単な方法及び装置によって優れたマルチアクセス切替を可能とすることができる。
【００５０】
また、ＧＰＳ等の時刻同期手段を使用せずとも、簡易な手段により地球局間の時刻同期を確保することができる。
【図面の簡単な説明】
【図１】本発明の一実施の形態に係るマルチアクセスの切替系統図
【図２】本発明の一実施の形態に係るマルチアクセス切替のタイムチャート
【図３】本発明の一実施の形態に係るマルチアクセス切替用時刻信号系統図
【図４】従来方式のマルチアクセスの切り替え系統図
【図５】従来方式のマルチアクセスの切り替えタイムチャート。
【符号の説明】
１，５１  アンテナ
２，５２  送信機
３，５３  受信機
４，５４  マルチアクセス装置
５，５５  放送設備
６，５６  演算処理装置
７，５７  時刻信号発生器
１１  Ｑｃ信号発生器
１２  Ｄｓ遅延時間タイマー
１３  重畳器
１４  Ｄａｔａ発生器
１５  パイロット信号発生器
１６  パイロット信号検出器
１７，６１  分配器
２１  基準時刻信号発生器
２２  時刻信号分配器
２３  時刻差検出器
２４  時刻信号校正器
３１  時刻信号分配／折り返し器
６２  Ｑｃ検出器
６３  Ｄｒ遅延時間タイマー
６４  Ｄａｔａ抽出器
【図１】
0003554883.tif 000003
【図２】
0003554883.tif 000004
【図３】
0003554883.tif 000005
【図４】
0003554883.tif 000006
【図５】
0003554883.tif 000007